(57)【要約】      （修正有） 【課題】ブルートゥース多重識別モジュールを有する入力装置を提供する。【解決手段】マウスに突出して設置された多段式ボタン１４１と、マウスの内部に設置され、マウスの回路素子に電気的に接続され、複数の管理されるパソコンの特定のアドレスが格納されるブルートゥース信号送信モジュール１４２と、管理されるパソコンの状態を表示する複数のＬＥＤ指示ランプ１３１とを備える。さらに、上記多段式切替えボタンを利用して、上記ブルートゥース信号送信モジュールを選択して作動させ、これにより、対応して管理されるパソコンが選択され、そのため、ユーザーが、単一の入力装置で、所定のパソコンを切替えて制御できる。【選択図】図２
0003178421.tif 000002
【実用新案登録請求の範囲】
【請求項１】
入力装置本体と、
上記入力装置本体に組立てられたブルートゥースモジュールと、が含有される入力装置であって、
上記ブルートゥースモジュールに、
上記入力装置の外側へ突出した切替えボタンと、
上記入力装置の回路素子に電気的に接続され、それぞれ、パソコンを管理するための複数の特定のアドレスを格納するブルートゥース信号送信モジュールと、
上記入力装置の上蓋の適当な位置に組立てられ、上記入力装置の回路素子に電気的に接続される複数のＬＥＤ指示ランプと、が備えられる
ことを特徴とするブルートゥース多重識別モジュールを有する入力装置。
【請求項２】
上記切替えボタンが、多段式ボタン構造であり、上記ＬＥＤ指示ランプの数が、少なくとも二つであり、上記管理されるパソコンの数が、少なくとも二基であることを特徴とする請求項１に記載のブルートゥース多重識別モジュールを有する入力装置。
【請求項３】
上記パソコンが、それぞれ、上記ブルートゥースモジュール中のその一つの所定のアドレスに対応し、上記ブルートゥースモジュールが、少なくとも、二組以上の管理されるパソコンに対応するアドレスを格納し、また、それぞれ、ブルートゥース無線制御機能を有することを特徴とする請求項１に記載のブルートゥース多重識別モジュールを有する入力装置。
【請求項４】
管理されるパソコンが、指定されて使用される際に、上記入力装置において、対応するＬＥＤ指示ランプが点灯し、上記入力装置で、それぞれ、所定のパソコンを制御でき、また、上記切替えボタンを押すことにより、上記ＬＥＤ指示ランプが点灯し、上記ブルートゥース信号送信モジュールを作動して、選択した管理されるパソコンを確認し、これにより、それぞれ、所定のパソコンを切替え又は制御できることを特徴とする請求項１に記載のブルートゥース多重識別モジュールを有する入力装置。
【請求項５】
上記ブルートゥース信号送信モジュールから送信する信号にアドレス切替えコマンドが含まれ、先に使用中のパソコンのアドレスをディスエーブルド（ｄｉｓａｂｌｅｄ）状態にし、そして、選択した管理されるパソコンのアドレスをエネイブルド（ｅｎａｂｌｅｄ）状態にすることを特徴とする請求項１に記載のブルートゥース多重識別モジュールを有する入力装置。
【請求項６】
上記入力装置が、ブルートゥースマウスであり、上記ブルートゥースマウスに、上記切替えボタンを組立てるための側面孔と、ローラが組立てられるための上部孔と、上記複数のＬＥＤ指示ランプとが組立てられるための複数の正面孔とが形成されてある上蓋と、底座と、上記底座上に設置された回路板と、回路素子が上記回路板に電気的に接続される電子モジュールとが備えられることを特徴とする請求項１に記載のブルートゥース多重識別モジュールを有する入力装置。
【請求項７】
入力装置本体と、
上記入力装置本体に組立てられたブルートゥースモジュールとが含有される入力装置であって、
上記ブルートゥースモジュールに、
上記入力装置の外側へ突出した切替えボタンと、
上記入力装置の回路素子に電気的に接続され、パソコンを管理するための複数の特定のアドレスを格納するブルートゥース信号送信モジュールと、
上記入力装置において、適当な位置に組立てられ、上記入力装置の回路素子に電気的に接続される数字表示器と、が備えられる
ことを特徴とするブルートゥース多重識別モジュールを有する入力装置。
【請求項８】
上記切替えボタンが、多段式ボタン構造であり、上記管理されるパソコンの数が、少なくとも二基であることを特徴とする請求項７に記載のブルートゥース多重識別モジュールを有する入力装置。
【請求項９】
上記パソコンが、それぞれ、上記ブルートゥースモジュール中のその一つの所定のアドレスに対応し、上記ブルートゥースモジュールに、少なくとも二組以上の管理されるパソコンに対応するアドレスが格納され、また、それぞれ、ブルートゥース無線制御の機能を有することを特徴とする請求項７に記載のブルートゥース多重識別モジュールを有する入力装置。
【請求項１０】
管理のパソコンが、指定されて使用される際に、上記入力装置において、数字表示器に、管理されるパソコンの所定の代表番号が表示され、上記入力装置で、所定のパソコンを制御でき、また、上記切替えボタンを押すことにより、上記数字表示器に、所定の代表番号が表示され、上記ブルートゥース信号送信モジュールを作動して、選択した管理のパソコンを確認し、これにより、それぞれ、所定のパソコンを切替えや制御できることを特徴とする請求項７に記載のブルートゥース多重識別モジュールを有する入力装置。
【請求項１１】
上記ブルートゥース信号送信モジュールから送信する信号に、アドレス切替えコマンドが含まれ、先に使用中のパソコンのアドレスをディスエーブルド（ｄｉｓａｂｌｅｄ）状態にし、そして、選択した管理のパソコンのアドレスを、エネイブルド（ｅｎａｂｌｅｄ）状態にすることを特徴とする請求項７に記載のブルートゥース多重識別モジュールを有する入力装置。
【請求項１２】
上記入力装置が、ブルートゥースキーボードであり、上記ブルートゥースモジュールと、上記数字表示器が、電気的に接続されて、キーボード本体の上端側に組立てられ、上記ブルートゥースモジュールの切替えボタンが、上記キーボード本体の頂板面から突出することを特徴とする請求項７に記載のブルートゥース多重識別モジュールを有する入力装置。 
【考案の詳細な説明】
【技術分野】
【０００１】
本考案は、ブルートゥース伝送装置に関するものであり、さらに詳しくは、マウスやキーボードに適用されるブルートゥース多重識別モジュール装置であって、無線制御により、複数のパソコンの切換え可能なブルートゥース多重識別モジュールを有する入力装置に関するものである。
【背景技術】
【０００２】
ブルートゥース技術は、無線ＰＡＮ（Ｗｉｒｅｌｅｓｓ  Ｐｅｒｓｏｎａｌ  Ａｒｅａ Ｎｅｔｗｏｒｋ,ＷＰＡＮ）に関するものであり、Ｂｌｕｅｔｏｏｔｈ（登録商標（以下、本明細書及び実用新案登録請求の範囲において同じ。）ＳＩＧ（ブルートゥース・スペシャルインタレストグループ）によって、技術基準が制定された。それは、携帯電話と他の付属装置との間において、低消費電力やローコストを追求する無線通信接続の方法であり、主として、装置同士の間における通信に対して、一組の一致したルール（基準化プロトコル）が成立し、ユーザー同士の非互換性移動電子装置の間において、通信が不可能な問題を解決するものである。
【０００３】
汎用のブルートゥース基準は、ＩＥＥＥ  ８０２．１５．１であり、ブルートゥースプロトコルは、許可を必要としない（Ｉｎｄｕｓｔｒｉａｌ  Ｓｃｉｅｎｔｉｆｉｃ  Ｍｅｄｉｃａｌ,ＩＳＭ）電気周波数帯が２．４５ＧＨｚである。最高速度が、７２３．１ｋｂ／ｓにもなる。干渉を防止するため、２．４５ＧＨｚである他のプロトコルを利用しても良く、ブルートゥースプロトコルは、上記電気周波数帯を、７９チャンネル（通信帯域幅が１ＭＨＺである。）に区分され、一秒毎にチャンネル変換が１６００回にもなる。
【０００４】
ブルートゥース技術によれば、設計として、異なる装置の間において、無線接続を成立させ、また、低消費電力の利点が得られる。あるブルートゥースハンズフリーを有するパソコンマウスによれば、その特徴は、電源と、パソコン入力装置の移動を検知する光学マウス回路と、上記光学マウス回路に連結され、また、アンテナに連結されて信号の発信や受信をするブルートゥースモジュールと、パソコン入力装置が作動しているかないかを表示するＬＥＤ(Ｌｉｇｈｔ  Ｅｍｉｔｔｉｎｇ  Ｄｏｉｄｅ)指示ランプと、ブルートゥースモジュールに連結され、音源のエコーを取消すエコー取消し回路と、そのエコー取消し回路に連結され、音源信号を受信する音源受信機と、そのエコー取消し回路に連結され、エコー取消し回路から出力した音源信号を受信し、拡大する音源信号拡大回路と、音源信号拡大回路に連結され、信号を拡大して音声として放送するスピーカーとが含有される。
【０００５】
しかしながら、従来のマウスやキーボード等の入力装置は、ブルートゥースモジュールを切替えて、複数のパソコンに対して切替え操作する機能がないため、従来装置では、複数のマウスやキーボードを、複数のパソコンに対応させることが必要であるため、使用上、不便であるという問題があった。
【０００６】
実用新案登録第３１６８８４７号公報（以下、「特許文献１」という。）には、インターネット接続ターゲットを迅速に切り換えることができるブルートゥースマウスであって、マウス本体の動態を察知することによりインターネット接続ターゲットを決定するブルートゥースマウスが記載されている。
【０００７】
しかし、複数のパソコンを切り替え可能なブルートゥース多重識別モジュールを使用するマウスについては開示がない。
【特許文献１】実用新案登録第３１６８８４７号公報
【考案の概要】
【考案が解決しようとする課題】
【０００８】
従って、本考案の課題は、単一のブルートゥース多重識別モジュール装置のマウスやキーボードで、複数基のパソコンを制御できるブルートゥース多重識別モジュールを有する入力装置を提供することにある。
【課題を解決するための手段】
【０００９】
そこで、本考案者は、前記の本考案の課題を解決するために鋭意検討を重ねた結果、ブルートゥース信号発信モジュールと、切り替えボタンとからなるブルートゥースモジュールをマウス等の入力装置に組み込むことにより、前記課題を解決できることに着目し、かかる知見に基いて本考案に想到した。
【００１０】
かくして、請求項１の考案によれば、
入力装置本体と、
上記入力装置本体に組立てられたブルートゥースモジュールと、が含有される入力装置であって、
上記ブルートゥースモジュールに、
上記入力装置の外側へ突出した切替えボタンと、
上記入力装置の回路素子に電気的に接続され、それぞれ、パソコンを管理するための複数の特定のアドレスを格納するブルートゥース信号送信モジュールと、
上記入力装置の上蓋の適当な位置に組立てられ、上記入力装置の回路素子に電気的に接続される複数のＬＥＤ指示ランプと、が備えられる
ことを特徴とするブルートゥース多重識別モジュールを有する入力装置が提供される。
【００１１】
請求項２の考案によれば、上記切替えボタンが、多段式ボタン構造であり、上記ＬＥＤ指示ランプの数が、少なくとも二つであり、上記管理されるパソコンの数が、少なくとも二基であることを特徴とする請求項１に記載のブルートゥース多重識別モジュールを有する入力装置が提供される。
【００１２】
請求項３の考案によれば、上記パソコンが、それぞれ、上記ブルートゥースモジュール中のその一つの所定のアドレスに対応し、上記ブルートゥースモジュールが、少なくとも、二組以上の管理されるパソコンに対応するアドレスを格納し、また、それぞれ、ブルートゥース無線制御機能を有することを特徴とする請求項１に記載のブルートゥース多重識別モジュールを有する入力装置が提供される。
【００１３】
請求項４の考案によれば、管理されるパソコンが、指定されて使用される際に、上記入力装置において、対応するＬＥＤ指示ランプが点灯し、上記入力装置で、それぞれ、所定のパソコンを制御でき、また、上記切替えボタンを押すことにより、上記ＬＥＤ指示ランプが点灯し、上記ブルートゥース信号送信モジュールを作動して、選択した管理されるパソコンを確認し、これにより、それぞれ、所定のパソコンを切替え又は制御できることを特徴とする請求項１に記載のブルートゥース多重識別モジュールを有する入力装置が提供される。
【００１４】
請求項５の考案によれば、上記ブルートゥース信号送信モジュールから送信する信号にアドレス切替えコマンドが含まれ、先に使用中のパソコンのアドレスをディスエーブルド（ｄｉｓａｂｌｅｄ）状態にし、そして、選択した管理されるパソコンのアドレスをエネイブルド（ｅｎａｂｌｅｄ）状態にすることを特徴とする請求項１に記載のブルートゥース多重識別モジュールを有する入力装置が提供される。
【００１５】
請求項６の考案によれば、上記入力装置が、ブルートゥースマウスであり、上記ブルートゥースマウスに、上記切替えボタンを組立てるための側面孔と、ローラが組立てられるための上部孔と、上記複数のＬＥＤ指示ランプとが組立てられるための複数の正面孔とが形成されてある上蓋と、底座と、上記底座上に設置された回路板と、回路素子が上記回路板に電気的に接続される電子モジュールとが備えられることを特徴とする請求項１に記載のブルートゥース多重識別モジュールを有する入力装置が提供される。
【００１６】
請求項７の考案によれば、入力装置本体と、
上記入力装置本体に組立てられたブルートゥースモジュールとが含有される入力装置であって、
上記ブルートゥースモジュールに、
上記入力装置の外側へ突出した切替えボタンと、
上記入力装置の回路素子に電気的に接続され、パソコンを管理するための複数の特定のアドレスを格納するブルートゥース信号送信モジュールと、
上記入力装置において、適当な位置に組立てられ、上記入力装置の回路素子に電気的に接続される数字表示器と、が備えられる
ことを特徴とするブルートゥース多重識別モジュールを有する入力装置が提供される。
【００１７】
請求項８の考案によれば、上記切替えボタンが、多段式ボタン構造であり、上記管理されるパソコンの数が、少なくとも二基であることを特徴とする請求項７に記載のブルートゥース多重識別モジュールを有する入力装置が提供される。
【００１８】
請求項９の考案によれば、上記パソコンが、それぞれ、上記ブルートゥースモジュール中のその一つの所定のアドレスに対応し、上記ブルートゥースモジュールに、少なくとも二組以上の管理されるパソコンに対応するアドレスが格納され、また、それぞれ、ブルートゥース無線制御の機能を有することを特徴とする請求項７に記載のブルートゥース多重識別モジュールを有する入力装置が提供される。
【００１９】
請求項１０の考案によれば、管理のパソコンが、指定されて使用される際に、上記入力装置において、数字表示器に、管理されるパソコンの所定の代表番号が表示され、上記入力装置で、所定のパソコンを制御でき、また、上記切替えボタンを押すことにより、上記数字表示器に、所定の代表番号が表示され、上記ブルートゥース信号送信モジュールを作動して、選択した管理のパソコンを確認し、これにより、それぞれ、所定のパソコンを切替えや制御できることを特徴とする請求項７に記載のブルートゥース多重識別モジュールを有する入力装置が提供される。
【００２０】
請求項１１の考案によれば、上記ブルートゥース信号送信モジュールから送信する信号に、アドレス切替えコマンドが含まれ、先に使用中のパソコンのアドレスをディスエーブルド（ｄｉｓａｂｌｅｄ）状態にし、そして、選択した管理のパソコンのアドレスを、エネイブルド（ｅｎａｂｌｅｄ）状態にすることを特徴とする請求項７に記載のブルートゥース多重識別モジュールを有する入力装置が提供される。
【００２１】
請求項１２の考案によれば、上記入力装置が、ブルートゥースキーボードであり、上記ブルートゥースモジュールと、上記数字表示器が、電気的に接続されて、キーボード本体の上端側に組立てられ、上記ブルートゥースモジュールの切替えボタンが、上記キーボード本体の頂板面から突出することを特徴とする請求項７に記載のブルートゥース多重識別モジュールを有する入力装置が提供される。
【考案の効果】
【００２２】
本考案は、前記の通りの構成からなるものであり、一つの入力装置により、切替えボタンの多段制御モードを利用し、無線で、少なくとも二組以上の管理するパソコン装置を効率よく操作することができる。その結果、複数のマウスおよびキイボードを配置するスペースおよびコストを節減することもできる。
【考案を実施するための最良の形態】
【００２３】
以下、図面を参照しながら、本考案の特徴や技術内容について、詳しく説明するが、それらの図面等は、参考や説明のためのものであり、本考案は、それらによって限定されるものではない。
【００２４】
本考案は、ブルートゥース多重識別モジュールを有する入力装置に関するものであり、図１乃至図３には、本考案の第一の好適な実施形態によるブルートゥース多重識別モジュールを有する入力装置を示すものである。上記実施形態の入力装置は、ブルートゥースマウス１Ａを例として、説明するものである。
【００２５】
上記ブルートゥースマウス１Ａは、側面孔１０１と、上部孔１０２と、四つの正面孔１０３を有する上蓋１０と、底座１１を有する。底座１１上に回路板１２が設置され、その回路素子が、上記回路板１２に電気的に接続され、それぞれ、対応して上記正面孔１０３に設置される四つのＬＥＤ指示ランプ１３１を有する電子モジュール１３と、ローラ１３２と、上記回路板１２に電気的に接続され、切替えボタン１４１と信号送信モジュール１４２を有するブルートゥースモジュール１４と、が含有される。
【００２６】
ブルートゥースマウスを組み立てる際、上記底座１１と上蓋１０とが、ブルートゥースマウス１Ａに組立てられ、上記回路板１２と電子モジュール１３とを、その中に閉じ込め、上記切替えボタン１４１が、上記側面孔１０１と上記ローラ１３２において、上記上部孔１０２から突出する。
【００２７】
図３のように、ユーザーが、上記ブルートゥースマウス１Ａを制御し、従来のキーボード１Ｂに合わせて、それぞれ、少なくとも二基以上のパソコン３を制御できる。その中、各上記パソコン３が、それぞれ、上記ブルートゥースモジュール１４が有するもの一つの所定のアドレス（ＩＤ）に対応する。即ち、上記ブルートゥースモジュール１４には、少なくとも二組以上の管理される装置（パソコン３）のアドレスが格納される。また、それぞれ、ブルートゥース無線制御の機能を有する。
【００２８】
ユーザーが、上記ブルートゥースマウス１Ａの切替えボタン１４１を押して、上記ブルートゥースマウス１Ａのもっとも左側にあるＬＥＤ指示ランプ１３１が点灯すると、一基目のパソコン３が、上記ブルートゥースマウス１Ａによって、操作管理される状態になることを示す。また、他の三つのＬＥＤ指示ランプ１３１が、消灯することにより、他の二基目乃至四基目のパソコン３が、待機状態になっていることを示す。そして、ユーザーが、上記ブルートゥースマウス１Ａで、切替えをして、他の所定のパソコン３を制御したい時、ユーザーが、順に、上記切替えボタン１４１を押せば、上記ＬＥＤ指示ランプ１３１の表示（数字番号による表示をしてもよい。）が切替えられ、選択した管理されたパソコン３に対応して、上記ブルートゥースモジュール１４の信号送信モジュール１４２が作動する。これにより、上記ブルートゥースマウス１Ａで、迅速に制御したい所定のパソコン３を切替えることができる。
【００２９】
上記ブルートゥースモジュール１４から送信された信号の中に、アドレス切替えコマンドがあり、それにより、先に使用中のパソコンのアドレスを、ディスエーブルド（ｄｉｓａｂｌｅｄ）状態にし、そして、選択した管理されるパソコンのアドレスを、エネイブルド（ｅｎａｂｌｅｄ）状態にする。また、ＬＥＤ指示ランプ１３１や数字番号液晶表示（図に未表示）により、ユーザーが、上記ブルートゥースマウス１Ａと選択した管理されるパソコン３を確認することができる。
【００３０】
図４と図５は、本考案の第二の好適な実施形態によるブルートゥース多重識別モジュールを有する入力装置を示すものであり、上記実施形態の入力装置は、ブルートゥースキーボード２Ｂを例として、示したものである。
【００３１】
上記ブルートゥースキーボード２Ｂは、キーボード本体２０と、切替えボタン１４１と信号送信モジュール１４２を有するブルートゥースモジュール１４と、数字表示器１５と、が含有する。
【００３２】
ブルートゥースキーボードを組立てる時、上記ブルートゥースモジュール１４と上記数字表示器１５とが、上記キーボード本体２０の上端側に組立てられ、上記ブルートゥースモジュール１４の切替えボタン１４１が、上記キーボード本体２０の頂板面から突出する。  
【００３３】
図５のように、ユーザーが、上記ブルートゥースキーボード２Ｂを制御し、従来のマウス１Ｂに合わせて、それぞれ、少なくとも二基以上のパソコン３を制御できる。その中、各上記パソコン３が、それぞれ、上記ブルートゥースモジュール１４に格納してある一つの所定のアドレス（ＩＤ）に対応し、即ち、上記ブルートゥースモジュール１４には、少なくとも二組以上の管理される装置（パソコン３）のアドレスが格納され、また、それぞれ、ブルートゥース無線制御の機能を有する。ユーザーが、上記ブルートゥースキーボード２Ｂの切替えボタン１４１を押して、例えば、上記数字表示器１５に表示された数字が、「１」である所定の代表番号である場合、一基目のパソコン３が、上記ブルートゥースキーボード２Ｂにより操作管理される状態になることを示す。また、ユーザーが、上記ブルートゥースキーボード２Ｂで、他の所定のパソコン３に切替えることをしたい場合、ユーザーが、順に、上記切替えボタン１４１を押せば、上記数字表示器１５に、所定のパソコン３の番号が表示されて、選択した管理したいパソコン３に対応して、上記ブルートゥースモジュール１４の信号送信モジュール１４２が作動する。これにより、上記ブルートゥースキーボード２Ｂで、迅速に制御したい所定のパソコン３を切替えることができる。
【００３４】
以上、マウスやキーボードを一実施形態として示したが、本考案は、イヤホンやスピーカー等の他のブルートゥース電子装置に対しても適用することができる。また、そのブルートゥースモジュールの切替えボタンが、多段式制御モードに設計され、そのＬＥＤ指示ランプも、それに対応して設計される。
【００３５】
上記の実施形態から、本考案に係るマウスやキーボードは、ブルートゥース多重識別モジュールを有する入力装置であり、切替えボタンの多段制御モードを利用し、無線で、少なくとも二組以上の管理するパソコン装置を制御でき、従来のように、複数のマウスやキーボードを配置するためのコストや空間を節約することができる。
【００３６】
以上は、本考案のより好適な実施形態を示したものであり、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００３７】
【図１】本考案の第一の実施形態によるブルートゥースマウスの斜視図である。
【図２】図１のブルートゥースマウスの分解斜視図である。
【図３】本考案の第一の実施形態によるブルートゥースマウスで二基のパソコンを制御する状態を示す概念図である。
【図４】本考案の第二の実施形態によるブルートゥースキーボードの斜視図である。
【図５】本考案の第二の実施形態によるブルートゥースキーボードで二基のパソコンを制御する状態を示す概念図である。
【符号の説明】
【００３８】
１Ａ    ブルートゥースマウス
１Ｂ    従来キーボード
１０    上蓋
１０１  側面孔
１０２  上部孔
１０３  正面孔
１１    底座
１２    回路板
１３    電子モジュール
１３１  ＬＥＤ指示ランプ
１３２  ローラ
１４    ブルートゥースモジュール
１４１  切替えボタン
１４２  信号送信モジュール
１５    数字表示器
２Ａ    従来マウス
２Ｂ    ブルートゥースキーボード
２０    キーボード本体
３      パソコン
【図１】
0003178421.tif 000003
【図２】
0003178421.tif 000004
【図３】
0003178421.tif 000005
【図４】
0003178421.tif 000006
【図５】
0003178421.tif 000007